(57)【要約】      （修正有）【課題】ディスクの記録面が損傷するのを抑制することが可能で、かつ、ねじりバネが外れるのを防止することが可能なディスク装置内蔵型テレビジョンおよびディスク装置を提供する。【解決手段】このＤＶＤプレーヤ一体型液晶テレビジョン（ディスク装置内蔵型テレビジョン）では、ねじりコイルバネ９は、ドア部７の側壁部７ｂと上部キャビネット６の支持部６ｄとの間に配置されている。また、ねじりコイルバネ９のねじり中心が、ドア部７の回動の中心となる回動軸部から所定の距離を隔てて配置されることにより、ねじりコイルバネ９は、ドア部７の上部キャビネット６の上面に対する開き角度が所定の角度よりも大きい場合に、ドア部７を開く方向に付勢するとともに、ドア部７の上部キャビネット６に対する開き角度が所定の角度よりも小さい場合に、ドア部７を閉じる方向に付勢する。【選択図】図２
0003113191.tif 000002
【実用新案登録請求の範囲】
【請求項１】
ディスクを挿入するためのディスク挿入口が上面に形成されるとともに、前面にテレビジョン画面が取り付けられた筐体部と、所定の軸を中心として回動するように、前記ディスク挿入口に対して開閉可能に前記筐体部に取り付けられるドア部と、前記ドア部を所定の方向に付勢する１つのねじりコイルバネとを備えたディスク装置内蔵型テレビジョンにおいて、
前記ドア部は、前記ねじりコイルバネの一方端側の側方に配置される第１支持部を一体的に含み、
前記ドア部の前記第１支持部には、前記ねじりコイルバネの一方端が取り付けられる第１挿入部が形成され、
前記筐体部は、前記ねじりコイルバネの上側を覆うように形成されるカバー部と、前記ねじりコイルバネの他方端側の側方に配置される第２支持部とを一体的に含み、
前記筐体部の前記第２支持部には、前記ねじりコイルバネの他方端が取り付けられる第２挿入部が形成され、
前記ねじりコイルバネは、前記ドア部の第１支持部と前記筐体部の第２支持部との間に設置され、
前記ねじりコイルバネのねじり中心が、前記ドア部の回動の中心となる前記所定の軸から所定の距離を隔てて配置されることにより、前記ねじりコイルバネは、前記ドア部の前記筐体部に対する開き角度が所定の角度よりも大きい場合に、前記ドア部を開く方向に付勢するとともに、前記ドア部の前記筐体部に対する開き角度が前記所定の角度よりも小さい場合に、前記ドア部を閉じる方向に付勢する、ディスク装置内蔵型テレビジョン。
【請求項２】
ディスクを挿入するためのディスク挿入口を含む筐体部と、
所定の軸を中心として回動するように、前記ディスク挿入口に対して開閉可能に前記筐体部に取り付けられるドア部と、
前記ドア部の前記筐体部に対する開き角度が所定の角度よりも大きい場合に、前記ドア部を開く方向に付勢するとともに、前記ドア部の前記筐体部に対する開き角度が前記所定の角度よりも小さい場合に、前記ドア部を閉じる方向に付勢するねじりバネとを備え、
前記ドア部は、前記ねじりバネの一方端側の側方に配置される第１支持部を含み、
前記筐体部は、前記ねじりバネの他方端側の側方に配置される第２支持部を含み、
前記ねじりバネは、前記ドア部の第１支持部と前記筐体部の第２支持部との間に設置されている、ディスク装置。
【請求項３】
前記ドア部の前記第１支持部には、前記ねじりバネの一方端が取り付けられる第１挿入部が形成されているとともに、
前記筐体部の前記第２支持部には、前記ねじりバネの他方端が取り付けられる第２挿入部が形成されている、請求項２に記載のディスク装置。
【請求項４】
前記筐体部は、前記ねじりバネの前記ディスクの挿入側を覆うように形成されるカバー部を一体的に含む、請求項２または３に記載のディスク装置。
【請求項５】
前記ねじりバネのねじり中心が、前記ドア部の回動の中心となる前記所定の軸から所定の距離を隔てて配置されている、請求項２〜４のいずれか１項に記載のディスク装置。
【請求項６】
前記ディスク装置は、前面にテレビジョン画面が設けられた前記筐体部に内蔵されている、請求項２〜５のいずれか１項に記載のディスク装置。
【考案の詳細な説明】
【技術分野】
【０００１】
本考案は、ディスク装置内蔵型テレビジョンおよびディスク装置に関し、特に、ディスク挿入口に取り付けられるドア部を備えたディスク装置内蔵型テレビジョンおよびディスク装置に関する。
【背景技術】
【０００２】
従来、ＤＶＤ（デジタル多用途ディスク）などのディスク挿入口に取り付けられるドア部を備えたディスク装置が知られている（たとえば、特許文献１参照）。上記特許文献１には、ＤＶＤのディスク挿入口が設けられたフロントパネル（筐体部）に開閉ドア（ドア部）が回動可能に取り付けられるとともに、開閉ドアの回動の中心とねじりコイルバネのねじり中心とが一致するように開閉ドアが閉まる方向に付勢するためのねじりコイルバネが取り付けられたディスクプレーヤ（ディスク装置）が開示されている。
【０００３】
また、上記特許文献１に開示された開閉ドア（ドア部）と同様の回転軸支持構造が知られている（たとえば、特許文献２参照）。上記特許文献２には、ＣＤ（コンパクト・ディスク）などのディスク挿入口が設けられたパネル本体（筐体部）に扉（ドア部）が回動可能に取り付けられるとともに、扉の回動の中心とねじりコイルバネのねじり中心とが一致するように扉が閉まる方向に付勢するためのねじりコイルバネが取り付けられた回転軸支持構造が開示されている。
【特許文献１】特開２００３−８５９５６号公報
【特許文献２】特開２００５−７６６９１号公報
【考案の開示】
【考案が解決しようとする課題】
【０００４】
上記特許文献１に開示されたディスクプレーヤでは、開閉ドアの回動の中心とねじりコイルバネのねじり中心とが一致するように開閉ドアが閉まる方向に付勢するためのねじりコイルバネが設けられている。この構造をＤＶＤの記録面を保護する部材が設けられていないＤＶＤをスロットに挿入するスロットイン式のディスク挿入口に用いた場合、開閉ドアが常時閉じる方向に付勢されているので、ＤＶＤの挿入時および取り出し時に、ＤＶＤの記録面に開閉ドア（ドア部）が当接する。このため、ＤＶＤの記録面が損傷することがあるという問題点がある。
【０００５】
また、上記特許文献２に開示された構造では、上記特許文献１と同様、扉の回動の中心とねじりコイルバネのねじり中心とが一致するように扉が閉まる方向に付勢するためのねじりコイルバネが設けられている。この構造をスロットイン式のＣＤなどのディスク挿入口に用いた場合、扉が常時閉じる方向に付勢されているので、ＣＤなどの挿入時および取り出し時に、ＣＤなどの記録面に扉（ドア部）が当接する。このため、ＣＤなどの記録面が損傷することがあるという問題点がある。
【０００６】
従来では、ドア構造として、ねじりバネの中心を回動中心とずらすことによって、ドアが一定の角度以上になると自然に開き、一定の角度以下になると自然に閉じるドア構造が知られている。このような構造をスロットイン式のディスク装置に用いれば、ディスクの記録面が損傷するのを抑制することが可能であると考えられる。しかしながら、このようなドア構造では、ドアの回動によって、ねじりバネの中心も移動するので、ねじりバネが外れやすいという問題点が新たに発生すると考えられる。
【０００７】
この考案は、上記のような課題を解決するためになされたものであり、この考案の１つの目的は、ディスクの記録面が損傷するのを抑制することが可能で、かつ、ねじりバネが外れるのを防止することが可能なディスク装置内蔵型テレビジョンおよびディスク装置を提供することである。
【課題を解決するための手段】
【０００８】
この考案の第１の局面におけるディスク装置内蔵型テレビジョンでは、ディスクを挿入するためのディスク挿入口が上面に形成されるとともに、前面にテレビジョン画面が取り付けられた筐体部と、所定の軸を中心として回動するように、ディスク挿入口に対して開閉可能に筐体部に取り付けられるドア部と、ドア部を所定の方向に付勢する１つのねじりコイルバネとを備えたディスク装置内蔵型テレビジョンにおいて、ドア部は、ねじりコイルバネの一方端側の側方に配置される第１支持部を一体的に含み、ドア部の第１支持部には、ねじりコイルバネの一方端が取り付けられる第１挿入部が形成され、筐体部は、ねじりコイルバネの上側を覆うように形成されるカバー部と、ねじりコイルバネの他方端側の側方に配置される第２支持部とを一体的に含み、筐体部の第２支持部には、ねじりコイルバネの他方端が取り付けられる第２挿入部が形成され、ねじりコイルバネは、ドア部の第１支持部と筐体部の第２支持部との間に設置され、ねじりコイルバネのねじり中心が、ドア部の回動の中心となる所定の軸から所定の距離を隔てて配置されることにより、ねじりコイルバネは、ドア部の筐体部に対する開き角度が所定の角度よりも大きい場合に、ドア部を開く方向に付勢するとともに、ドア部の筐体部に対する開き角度が所定の角度よりも小さい場合に、ドア部を閉じる方向に付勢する。
【０００９】
この考案の第１の局面によるディスク装置内蔵型テレビジョンでは、上記のように、ドア部の筐体部に対する開き角度が所定の角度よりも大きい場合に、ドア部を開く方向に付勢するとともに、ドア部の筐体部に対する開き角度が所定の角度よりも小さい場合に、ドア部を閉じる方向に付勢するねじりコイルバネを備えることによって、ドア部を、ねじりコイルバネにより閉じる方向のみならず開く方向にも付勢することができるので、ＤＶＤなどのディスクの挿入時および取り出し時に、ドア部をねじりコイルバネにより開く方向に付勢することにより、ディスクの記録面にドア部が当接するのを抑制することができる。これにより、ディスクの記録面が損傷するのを抑制することができる。また、ドア部に、ねじりコイルバネの一方端側の側方に配置される第１支持部を設けるとともに、筐体部に、ねじりコイルバネの他方端側の側方に配置される第２支持部を設け、ねじりコイルバネを、ドア部の第１支持部と筐体部の第２支持部との間に設置することによって、ドア部の第１支持部および筐体部の第２支持部により、ねじりコイルバネの一方端および他方端が挟まれた状態になるので、ねじりコイルバネの移動やねじりコイルバネに加わる振動などによってねじりコイルバネが外れるのを抑制することができる。また、第１支持部および第２支持部をそれぞれドア部および筐体部に一体的に形成することによって、第１支持部および第２支持部を設けたとしても、部品点数が増加するのを抑制することができる。また、筐体部に、ねじりコイルバネの上側を覆うように形成されるカバー部を形成することによって、ドア部が開いた状態で、ねじりコイルバネが上側に露出するのを抑制することができるので、ディスクの挿入時および取り出し時に誤ってユーザの指がねじりコイルバネに接触するのを抑制することができる。これによっても、ねじりコイルバネが外れるのを防止することができるとともに、ねじりコイルバネの損傷なども抑制することができる。また、カバー部を筐体部と一体的に形成することによって、カバー部を設けたとしても部品点数が増加するのを抑制することができる。また、ドア部の第１支持部に、ねじりコイルバネの一方端が取り付けられる第１挿入部を形成するとともに、筐体部の第２支持部に、ねじりコイルバネの他方端が取り付けられる第２挿入部を形成することによって、ドア部の第１支持部の第１挿入部にねじりコイルバネの一方端を取り付けるとともに、筐体部の第２支持部の第２挿入部にねじりコイルバネの他方端を取り付けることができるので、ねじりコイルバネを用いて容易にドア部を付勢することができる。また、ねじりコイ
ルバネのねじり中心を、ドア部の回動の中心となる所定の軸から所定の距離を隔てて配置することによって、ドア部の筐体部に対する開き角度が所定の角度よりも大きい場合に、容易に、ドア部を開く方向に付勢することができるとともに、ドア部の筐体部に対する開き角度が所定の角度よりも小さい場合に、容易に、ドア部を閉じる方向に付勢することができる。
【００１０】
この考案の第２の局面におけるディスク装置では、ディスクを挿入するためのディスク挿入口を含む筐体部と、所定の軸を中心として回動するように、ディスク挿入口に対して開閉可能に筐体部に取り付けられるドア部と、ドア部の筐体部に対する開き角度が所定の角度よりも大きい場合に、ドア部を開く方向に付勢するとともに、ドア部の筐体部に対する開き角度が所定の角度よりも小さい場合に、ドア部を閉じる方向に付勢するねじりバネとを備え、ドア部は、ねじりバネの一方端側の側方に配置される第１支持部を含み、筐体部は、ねじりバネの他方端側の側方に配置される第２支持部を含み、ねじりバネは、ドア部の第１支持部と筐体部の第２支持部との間に設置されている。
【００１１】
この考案の第２の局面によるディスク装置では、上記のように、ドア部の筐体部に対する開き角度が所定の角度よりも大きい場合に、ドア部を開く方向に付勢するとともに、ドア部の筐体部に対する開き角度が所定の角度よりも小さい場合に、ドア部を閉じる方向に付勢するねじりバネを備えることによって、ドア部を、ねじりバネにより閉じる方向のみならず開く方向にも付勢することができるので、ＤＶＤなどのディスクの挿入時および取り出し時に、ドア部をねじりバネにより開く方向に付勢することにより、ディスクの記録面にドア部が当接するのを抑制することができる。これにより、ディスクの記録面が損傷するのを抑制することができる。また、ドア部に、ねじりバネの一方端側の側方に配置される第１支持部を設けるとともに、筐体部に、ねじりバネの他方端側の側方に配置される第２支持部を設け、ねじりバネを、ドア部の第１支持部と筐体部の第２支持部との間に設置することによって、ドア部の第１支持部および筐体部の第２支持部により、ねじりバネの一方端および他方端が挟まれた状態になるので、ねじりバネの移動やねじりバネに加わる振動などによってねじりバネが外れるのを抑制することができる。
【００１２】
上記第２の局面によるディスク装置において、好ましくは、ドア部の第１支持部には、ねじりバネの一方端が取り付けられる第１挿入部が形成されているとともに、筐体部の第２支持部には、ねじりバネの他方端が取り付けられる第２挿入部が形成されている。このように構成すれば、ドア部の第１支持部の第１挿入部にねじりバネの一方端を取り付けるとともに、筐体部の第２支持部の第２挿入部にねじりバネの他方端を取り付けることができるので、ねじりバネを用いて容易にドア部を付勢することができる。
【００１３】
上記第２の局面によるディスク装置において、好ましくは、筐体部は、ねじりバネのディスクの挿入側を覆うように形成されるカバー部を一体的に含む。このように構成すれば、ドア部が開いた状態で、ねじりバネが上側に露出するのを抑制することができるので、ディスクの挿入時および取り出し時に誤ってユーザの指がねじりバネに接触するのを抑制することができる。これによっても、ねじりバネが外れるのを防止することができるとともに、ねじりバネの損傷なども抑制することができる。また、カバー部を筐体部と一体的に形成することによって、カバー部を設けたとしても部品点数が増加するのを抑制することができる。
【００１４】
上記第２の局面によるディスク装置において、好ましくは、ねじりバネのねじり中心が、ドア部の回動の中心となる所定の軸から所定の距離を隔てて配置されている。このように構成すれば、ドア部の筐体部に対する開き角度が所定の角度よりも大きい場合に、容易に、ドア部を開く方向に付勢することができるとともに、ドア部の筐体部に対する開き角度が所定の角度よりも小さい場合に、容易に、ドア部を閉じる方向に付勢することができ
る。
【００１５】
上記第２の局面によるディスク装置において、好ましくは、ディスク装置は、前面にテレビジョン画面が設けられた筐体部に内蔵されている。このように構成すれば、ディスクの記録面が損傷するのを抑制することが可能で、かつ、ねじりバネが外れるのを防止することが可能なディスク装置を内蔵したテレビジョンを得ることができる。
【考案を実施するための最良の形態】
【００１６】
以下、本考案の実施形態を図面に基づいて説明する。
【００１７】
図１は、本考案の一実施形態によるＤＶＤプレーヤ一体型液晶テレビジョンの全体構成を示した斜視図である。図２〜図１２は、図１に示した一実施形態によるＤＶＤプレーヤ一体型液晶テレビジョンの構造を詳細に説明するための図である。まず、図１〜図１２を参照して、本考案の一実施形態によるＤＶＤプレーヤ一体型液晶テレビジョン１の構造について説明する。
【００１８】
本考案の一実施形態によるＤＶＤプレーヤ一体型液晶テレビジョン１は、図１に示すように、液晶テレビジョン２と、ＤＶＤプレーヤ３と、前部キャビネット４、後部キャビネット５と、上部キャビネット６と、ドア部７と、スタンド８とを備えている。なお、前部キャビネット４、後部キャビネット５および上部キャビネット６は、本考案の「筐体部」の一例である。液晶テレビジョン２は、液晶画面２ａを有しており、液晶画面２ａに映像が表示されるように構成されている。ＤＶＤプレーヤ３は、ユーザにより挿入されたＤＶＤ５０（図２参照）を再生する機能を有している。このＤＶＤプレーヤ３により再生されたＤＶＤ５０の映像は、液晶テレビジョン２の液晶画面２ａに表示されるように構成されている。
【００１９】
ここで、本実施形態では、上部キャビネット６には、図４および図５に示すように、ＤＶＤ５０（図２参照）を挿入するためのディスク挿入口６ａと、ディスク挿入口６ａを挟み込むように配置される挿入部６ｂおよび６ｃと、上部キャビネット６の下面側に配置される支持部６ｄおよび２つの回動支持部６ｅ（図５参照）とが一体的に形成されている。なお、支持部６ｄは、本考案の「第２支持部」の一例である。また、ディスク挿入口６ａの上面は、図４に示すように、上部キャビネット６の上面よりも下側に配置されている。
【００２０】
また、本実施形態では、図４、図５および図８に示すように、挿入部６ｂのディスク挿入口６ａ側の部分には、後述するねじりコイルバネ９の上側を覆うようにカバー部６ｆが一体的に形成されている。これにより、ドア部７が開いた状態（図１２に示す状態）で、ねじりコイルバネ９が上側に露出するのを抑制することが可能となるので、見栄えを良くすることが可能である。また、支持部６ｄは、図５に示すように、ディスク挿入口６ａと挿入部６ｂとの間に配置されている。また、支持部６ｄの所定の位置には、ねじりコイルバネ９の他方端９ｂを挿入するための挿入部６ｇが形成されている。なお、挿入部６ｇは、本考案の「第２挿入部」の一例である。また、２つの回動支持部６ｅには、支持穴６ｈがそれぞれ設けられている。
【００２１】
また、ドア部７は、図６および図７に示すように、挿入口カバー部７ａと、挿入口カバー部７ａの両側端に一体的に設けられる一対の側壁部７ｂおよび７ｃとにより構成されている。なお、側壁部７ｂは、本考案の「第１支持部」の一例である。また、挿入口カバー部７ａは、図１０に示すように、ドア部７が上部キャビネット６に対して閉じた状態で、ディスク挿入口６ａ（図２参照）の上面に配置される。また、挿入口カバー部７ａには、図６に示すように、ドア部７を開くときにユーザの指で把持するための突出部７ｄが形成されている。
【００２２】
また、側壁部７ｂおよび７ｃは、それぞれ、図２および図３に示すように、上部キャビネット６の挿入部６ｂおよび６ｃに挿入されている。また、側壁部７ｂおよび７ｃには、図７に示すように、回動軸部７ｅがそれぞれ形成されている。なお、回動軸部７ｅは、本考案の「軸」の一例である。また、回動軸部７ｅは、図３に示すように、上部キャビネット６の支持穴６ｈに回動可能に嵌め込まれている。
【００２３】
また、本実施形態では、側壁部７ｂの所定の位置には、図６に示すように、ねじりコイルバネ９の一方端９ａを挿入するための挿入部７ｆが形成されている。なお、挿入部７ｆは、本考案の「第１挿入部」の一例である。
【００２４】
また、本実施形態では、図３および図９に示すように、上部キャビネット６の支持部６ｄ（図３参照）とドア部７の側壁部７ｂとの間には、ドア部７を所定の方向に付勢するためのねじりコイルバネ９が配置されている。なお、ねじりコイルバネ９は、本考案の「ねじりバネ」の一例である。このねじりコイルバネ９の一方端９ａは、図３に示すように、ドア部７の側壁部７ｂの挿入部７ｆに挿入されているとともに、ねじりコイルバネ９の他方端９ｂは、支持部６ｄの挿入部６ｇに挿入されている。
【００２５】
また、本実施形態では、図１０〜図１２に示すように、ねじりコイルバネ９のねじり中心Ｐは、ドア部７の回動の中心となる回動軸部７ｅから所定の距離を隔てて配置されている。
【００２６】
また、本実施形態では、ねじりコイルバネ９は、図１０に示すように、上部キャビネット６の上面に対するドア部７の開き角度が所定の角度θ（図１１参照）よりも小さい場合に、ドア部７を図１０の矢印Ａ方向に付勢する機能を有する。これにより、ドア部７を、ねじりコイルバネ９により閉じる方向（図１０の矢印Ｂ方向）に付勢することが可能である。また、ねじりコイルバネ９は、図１１に示すように、上部キャビネット６の上面に対するドア部７の開き角度が所定の角度θである場合には、ドア部７を矢印Ｃ方向に付勢する機能を有する。この場合、矢印Ｃ方向の延長線Ｌ上にドア部７の回動の中心となる回動軸部７ｅが配置されるので、ドア部７には、開く方向（図１２の矢印Ｅ方向）および閉じる方向（図１０の矢印Ｂ方向）に力が働かない。また、ねじりコイルバネ９は、図１２に示すように、上部キャビネット６の上面に対するドア部７の開き角度が所定の角度θ（図１１参照）よりも大きい場合に、ドア部７を矢印Ｄ方向に付勢する機能を有する。これにより、ドア部７を、ねじりコイルバネ９により開く方向（図１２の矢印Ｅ方向）に付勢することが可能である。
【００２７】
次に、図１、図２および図１０〜図１２を参照して、本考案の一実施形態によるドア部７の開閉動作について説明する。
【００２８】
まず、ＤＶＤプレーヤ一体型液晶テレビジョン１（図１参照）にＤＶＤ５０が挿入されていない場合には、図１０に示す状態からドア部７の突出部７ｄがユーザにより把持されて、上部キャビネット６の上面に対するドア部７の開き角度が所定の角度θ（図１１参照）よりも大きくなるまでドア部７が開かれる。そして、上部キャビネット６の上面に対するドア部７の開き角度が所定の角度θ（図１１参照）よりも大きくなることによって、ドア部７がねじりコイルバネ９により開く方向（図１２の矢印Ｅ方向）に付勢されるので、ドア部７は、図１２に示す状態にまで開かれる。その後、ＤＶＤ５０（図１２参照）がディスク挿入口６ａ（図２参照）から挿入されて、ＤＶＤ５０がＤＶＤプレーヤ一体型液晶テレビジョン１の内部に収納される。この場合、ドア部７は、ねじりコイルバネ９の付勢力により図１２に示す状態にまで開かれるので、ＤＶＤ５０の記録面５０ａとドア部７の挿入口カバー部７ａとの間に隙間を設けることが可能である。これにより、ＤＶＤ５０の
記録面５０ａがドア部７に当接するのを抑制することが可能である。そして、ＤＶＤ５０の挿入後、ドア部７がユーザにより角度θよりも小さくなるまで押し下げられる。これにより、ドア部７がねじりコイルバネ９により閉じる方向（図１０の矢印Ｂ方向）に付勢されるので、図１０に示す状態になる。
【００２９】
一方、ＤＶＤプレーヤ一体型液晶テレビジョン１（図１参照）にＤＶＤ５０が挿入されている場合には、ＤＶＤプレーヤ一体型液晶テレビジョン１に設けられた図示しない取出し用のボタンが押されることにより、図１０に示すように、ＤＶＤ５０が上方へ持ち上げられる。そして、図１１に示すように、ＤＶＤ５０の周辺部分がドア部７の挿入口カバー部７ａの下面に当接することにより、ドア部７が開かれる。そして、上部キャビネット６の上面に対するドア部７の開き角度が所定の角度θ（図１１参照）よりも大きくなることによって、ねじりコイルバネ９によりドア部７が開く方向（図１２の矢印Ｅ方向）に付勢されるので、ドア部７は、図１２に示す状態にまで開かれる。その後、ＤＶＤ５０（図１２参照）がディスク挿入口６ａ（図２参照）から取り出される。この場合、ドア部７は、ねじりコイルバネ９の付勢力により図１２に示す状態にまで開かれるので、ＤＶＤ５０の記録面５０ａとドア部７の挿入口カバー部７ａとの間に隙間を設けることが可能である。これにより、ＤＶＤ５０の記録面５０ａがドア部７に当接するのを抑制することが可能である。そして、ＤＶＤ５０の取り出し後、ドア部７がユーザにより角度θよりも小さくなるまで押し下げられる。これにより、ドア部７がねじりコイルバネ９により閉じる方向（図１０の矢印Ｂ方向）に付勢されるので、図１０に示す状態になる。
【００３０】
本実施形態では、上記のように、ドア部７の上部キャビネット６の上面に対する開き角度が所定の角度θ（図１１参照）よりも大きい場合に、ドア部７を開く方向（図１２の矢印Ｅ方向）に付勢するとともに、ドア部７の上部キャビネット６に対する開き角度が所定の角度θ（図１１参照）よりも小さい場合に、ドア部７を閉じる方向（図１０の矢印Ｂ方向）に付勢するねじりコイルバネ９を備えることによって、ドア部７を、ねじりコイルバネ９により閉じる方向のみならず開く方向にも付勢することができるので、ＤＶＤ５０の挿入時および取り出し時に、ドア部７をねじりコイルバネ９により開く方向に付勢することにより、ＤＶＤ５０の記録面５０ａにドア部７の挿入口カバー部７ａが当接するのを抑制することができる。これにより、ＤＶＤ５０の記録面５０ａが損傷するのを抑制することができる。
【００３１】
また、本実施形態では、上部キャビネット６に、ねじりコイルバネ９の上側を覆うように形成されるカバー部６ｆを形成することによって、ドア部７が開いた状態（図１２に示す状態）で、ねじりコイルバネ９が上側に露出するのを抑制することができるので、ＤＶＤ５０の挿入時および取り出し時に誤ってユーザの指がねじりコイルバネ９に接触するのを抑制することができる。これによっても、ねじりコイルバネ９が外れるのを防止することができるとともに、ねじりコイルバネ９の損傷なども抑制することができる。また、カバー部６ｆを上部キャビネット６と一体的に形成することによって、カバー部６ｆを設けたとしても部品点数が増加するのを抑制することができる。
【００３２】
また、本実施形態では、ドア部７に、ねじりコイルバネ９の一方端９ａ側の側方に配置される側壁部７ｂを設けるとともに、上部キャビネット６に、ねじりコイルバネ９の他方端９ｂ側の側方に配置される支持部６ｄを設け、ねじりコイルバネ９を、ドア部７の側壁部７ｂと上部キャビネット６の支持部６ｄとの間に設置することによって、ドア部７の側壁部７ｂおよび上部キャビネット６の支持部６ｄにより、ねじりコイルバネ９の一方端９ａおよび他方端９ｂが挟まれた状態になるので、ねじりコイルバネ９の移動やねじりコイルバネ９に加わる振動などによってねじりコイルバネ９が外れるのを抑制することができる。また、側壁部７ｂおよび支持部６ｄをそれぞれドア部７および上部キャビネット６に一体的に形成することによって、側壁部７ｂおよび支持部６ｄを設けたとしても、部品点
数が増加するのを抑制することができる。
【００３３】
また、本実施形態では、ねじりコイルバネ９のねじり中心Ｐを、ドア部７の回動の中心となる回動軸部７ｅから所定の距離を隔てて配置することによって、ドア部７の上部キャビネット６に対する開き角度が所定の角度θ（図１１参照）よりも大きい場合に、容易に、ドア部７を開く方向（図１２の矢印Ｅ方向）に付勢することができるとともに、ドア部７の上部キャビネット６に対する開き角度が所定の角度θ（図１１参照）よりも小さい場合に、容易に、ドア部７を閉じる方向（図１０の矢印Ｂ方向）に付勢することができる。
【００３４】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００３５】
たとえば、上記実施形態では、ディスク挿入口６ａに取り付けられるドア部７を備えたディスク装置内蔵型テレビジョンおよびディスク装置の一例として、ＤＶＤプレーヤ一体型液晶テレビジョン１を示したが、本考案はこれに限らず、ディスク挿入口６ａに取り付けられるドア部７を備えたディスク装置内蔵型テレビジョンおよびディスク装置であれば、たとえば、液晶テレビジョン以外のテレビジョンに内蔵されるＤＶＤプレーヤ（ディスク装置）、または、ＤＶＤ以外のＣＤなどのディスク装置などにも適用可能である。
【００３６】
また、上記実施形態では、カバー部６ｆを上部キャビネット６の挿入部６ｂのみに設けた例を示したが、本考案はこれに限らず、カバー部６ｆを上部キャビネット６の挿入部６ｂおよび６ｃのそれぞれに設けてもよい。この場合、挿入部６ｂおよび６ｃからごみなどが侵入するのを抑制することが可能である。
【００３７】
また、上記実施形態では、ディスク挿入口６ａをＤＶＤプレーヤ一体型液晶テレビジョン１の上面に設けた例を示したが、本考案はこれに限らず、ディスク挿入口６ａをＤＶＤプレーヤ一体型液晶テレビジョン１の側面または前面下部に設けてもよい。
【図面の簡単な説明】
【００３８】
【図１】本考案の一実施形態によるＤＶＤプレーヤ一体型液晶テレビジョンの全体構成を示した斜視図である。
【図２】図１に示した一実施形態による上部キャビネットおよびドア部の構造を説明するための上方からの斜視図である。
【図３】図１に示した一実施形態による上部キャビネットおよびドア部の構造を説明するための下方からの斜視図である。
【図４】図１に示した一実施形態による上部キャビネットの構造を説明するための上方からの斜視図である。
【図５】図１に示した一実施形態による上部キャビネットの構造を説明するための下方からの斜視図である。
【図６】図１に示した一実施形態によるドア部の構造を説明するための上方からの斜視図である。
【図７】図１に示した一実施形態によるドア部の構造を説明するための下方からの斜視図である。
【図８】図１に示した一実施形態による上部キャビネット、ドア部およびねじりコイルバネの構造を説明するための平面図である。
【図９】図１に示した一実施形態による上部キャビネット、ドア部およびねじりコイルバネの構造を説明するための下方からの図である。
【図１０】図１に示した一実施形態による上部キャビネット、ドア部およびねじりコイルバネの構造を説明するための側面図である。
【図１１】図１に示した一実施形態による上部キャビネット、ドア部およびねじりコイルバネの構造を説明するための側面図である。
【図１２】図１に示した一実施形態による上部キャビネット、ドア部およびねじりコイルバネの構造を説明するための側面図である。
【符号の説明】
【００３９】
４  前部キャビネット（筐体部）
５  後部キャビネット（筐体部）
６  上部キャビネット（筐体部）
６ｄ  支持部（第２支持部）
６ｆ  カバー部
６ｇ  挿入部（第２挿入部）
７  ドア部
７ｂ  側壁部（第１支持部）
７ｅ  回動軸部（軸）
７ｆ  挿入部（第１挿入部）
９  ねじりコイルバネ（ねじりバネ）
９ａ  一方端
９ｂ  他方端
【図１】
0003113191.tif 000003
【図２】
0003113191.tif 000004
【図３】
0003113191.tif 000005
【図４】
0003113191.tif 000006
【図５】
0003113191.tif 000007
【図６】
0003113191.tif 000008
【図７】
0003113191.tif 000009
【図８】
0003113191.tif 000010
【図９】
0003113191.tif 000011
【図１０】
0003113191.tif 000012
【図１１】
0003113191.tif 000013
【図１２】
0003113191.tif 000014